(57)【要約】本発明は、物品の特徴量と、物品に関連する関連物品に関する関連物品情報とが関連付けられて記憶された関連物品データベースと、顧客が写った顧客画像から特徴量を抽出する特徴量抽出手段と、抽出された特徴量と、関連物品データベースに記憶されている特徴量とを照合し、顧客が身につけている物品を識別する照合手段と、識別した物品に関連する関連物品の関連物品情報を、関連物品データベースから検索する関連物品情報検索手段と、検索された関連物品情報を出力する関連物品情報出力制御手段とを有するデジタルサイネージシステムである。
2013147003.tif 000002
【特許請求の範囲】
【請求項１】
物品の特徴量と、前記物品に関連する関連物品に関する関連物品情報とが関連付けられて記憶された関連物品データベースと、
顧客が写った顧客画像から特徴量を抽出する特徴量抽出手段と、
前記抽出された特徴量と、前記関連物品データベースに記憶されている特徴量とを照合し、前記顧客が身につけている物品を識別する照合手段と、
前記識別した物品に関連する関連物品の関連物品情報を、前記関連物品データベースから検索する関連物品情報検索手段と、
前記検索された関連物品情報を出力する関連物品情報出力制御手段と
を有するデジタルサイネージシステム。
【請求項２】
前記関連物品情報が、物品の静止画、動画を含む関連物品画像と、前記物品の紹介情報とのいずれかを少なくとも含む
請求項１に記載のデジタルサイネージシステム。
【請求項３】
前記関連物品情報出力制御手段は、前記関連物品画像を、その関連物品を顧客が身につける位置に、前記顧客画像に重畳して表示する
請求項２に記載のデジタルサイネージシステム。
【請求項４】
前記関連物品情報出力制御手段は、前記顧客画像のうち前記顧客が身につけている物品の画像に、前記関連物品画像を重畳して表示する
請求項３に記載のデジタルサイネージシステム。
【請求項５】
前記関連物品情報出力制御手段は、前記関連物品画像を、前記顧客画像の顧客に重畳しないように、少なくとも一以上の前記関連物品画像を表示する
請求項２に記載のデジタルサイネージシステム。
【請求項６】
前記顧客画像に複数の人物が写っている場合、所定の優先度に従って顧客を特定する顧客特定手段を有する
請求項１から請求項５のいずれかに記載のデジタルサイネージシステム。
【請求項７】
前記物品を所持又は配置する人物がデジタルサイネージを視認可能な領域を撮像することができる位置に配置され、前記物品を撮像する撮像手段を有する
請求項１から請求項６に記載のデジタルサイネージシステム。
【請求項８】
照合サーバが、前記関連物品データベースと、前記照合手段と、前記関連物品情報検索手段とを少なくとも有し、
デジタルサイネージが、前記特徴量抽出手段と、前記関連物品情報出力制御手段とを少なくとも有し、
前記デジタルサイネージが、前記抽出した物品の特徴量を、前記照合サーバに送信し、
前記照合サーバが、前記物品の特徴量に基づいて、前記関連物品情報を前記デジタルサイネージに送信する
請求項１から請求項７のいずれかに記載のデジタルサイネージシステム。
【請求項９】
物品の特徴量と、前記物品に関連する関連物品に関する関連物品情報とが関連付けられて記憶された関連物品データベースと、
顧客が写った顧客画像から特徴量を抽出する特徴量抽出手段と、
前記抽出された特徴量と、前記物品データベースに記憶されている特徴量とを照合し、前記顧客が身につけている物品を識別する照合手段と、
前記識別した物品に関連する関連物品の関連物品情報を、前記関連物品データベースから検索する関連物品情報検索手段と、
前記関連商品検索手段で検索された関連物品情報を出力する関連物品情報出力制御手段と
を有するデジタルサイネージ。
【請求項１０】
物品の特徴量と、前記物品に関連する関連物品に関する関連物品情報とが関連付けられて記憶された関連物品データベースを有するデジタルサイネージシステムにおける関連物品情報を提示する関連物品情報提示方法であって、
顧客が写った顧客画像から特徴量を抽出し、
前記抽出された特徴量と、前記関連物品データベースに記憶されている特徴量とを照合し、前記顧客が身につけている物品を識別し、
前記識別した物品に関連する関連物品の関連物品情報を、前記関連物品データベースから検索し、
前記検索された関連物品情報を出力する
関連物品情報提示方法。
【請求項１１】
物品の特徴量と、前記物品に関連する関連物品に関する関連物品情報とが関連付けられて記憶された関連物品データベースを有するシステムのコンピュータのプログラムであって、
顧客が写った顧客画像から特徴量を抽出する処理と、
前記抽出された特徴量と、前記関連物品データベースに記憶されている特徴量とを照合し、前記顧客が身につけている物品を識別する処理と、
前記識別した物品に関連する関連物品の関連物品情報を、前記関連物品データベースから検索する処理と、
前記検索された関連物品情報を出力する処理と
をコンピュータに実行させるプログラム。
【発明の詳細な説明】
【技術分野】
【０００１】
本発明は、デジタルサイネージシステム、デジタルサイネージ、物品情報提示及びプログラムに関する。
【背景技術】
【０００２】
液晶ディスプレイやプロジェクタなどのディスプレイを用いて広告を表示する広告媒体であるデジタルサイネージ（Digital Signage）が、様々な場所に設置され始めている。デジタルサイネージを用いることで、動画や音声を用いた豊かなコンテンツの提供が可能になるばかりか、デジタルサイネージの設置場所に応じた効率的な広告配信が可能になるため、今後，デジタルサイネージのマーケットの拡大が期待されている。【０００３】
一方、顧客情報を収集し、その顧客情報をマーケティングに活用することが行われている。このような発明の一つとして特許文献１に記載された発明がある。【０００４】
特許文献１の技術は、画像処理部が、複数のカメラそれぞれが連続して撮影した商品購買顧客の複数画面から、顧客個人の性別、年齢層、職業などの特徴、滞在場所及びその時間、並びに顔向きから興味を有する注目商品、顧客の足取りコースなどを抽出して特定し、来店中顧客リストに登録する。そして、顧客管理部は、来店中顧客リストから特徴データを取り出し、特徴データに対応する予め保持された音声案内情報又は電子掲示情報を告示情報から取り出して出力部からアナウンス又は電子的な掲示を行うものである。
【先行技術文献】
【特許文献】
【０００５】
【特許文献１】特開２００４−３４８６１８号公報
【発明の概要】
【発明が解決しようとする課題】
【０００６】
しかし、特許文献１の発明は、顧客の服装や持ち物といった顧客が身につけている商品等を識別する機能を有していないため、顧客の趣向が顕著に表れる顧客が身につけている商品に関する情報を取得することができない。従って、顧客の趣向に合致した顧客が身につけている商品に関連する商品の広告表示を自動的に提示することができなかった。【０００７】
更に、デジタルサイネージも単なる広告表示手段としての機能以外の他の機能が待ち望まれていた。【０００８】
そこで、本発明は上記課題に鑑みて発明されたものであって、その目的は、単なる広告表示媒体だけではなく、顧客の趣向に合致した物品の情報を提示することができるジタルサイネージシステム、デジタルサイネージ、物品情報提示方法及びプログラムを提供することにある。
【課題を解決するための手段】
【０００９】
本発明は、物品の特徴量と、前記物品に関連する関連物品に関する関連物品情報とが関連付けられて記憶された関連物品データベースと、顧客が写った顧客画像から特徴量を抽出する特徴量抽出手段と、前記抽出された特徴量と、前記関連物品データベースに記憶されている特徴量とを照合し、前記顧客が身につけている物品を識別する照合手段と、前記識別した物品に関連する関連物品の関連物品情報を、前記関連物品データベースから検索する関連物品情報検索手段と、前記検索された関連物品情報を出力する関連物品情報出力制御手段とを有するデジタルサイネージシステムである。【００１０】
本発明は、物品の特徴量と、前記物品に関連する関連物品に関する関連物品情報とが関連付けられて記憶された関連物品データベースと、顧客が写った顧客画像から特徴量を抽出する特徴量抽出手段と、前記抽出された特徴量と、前記物品データベースに記憶されている特徴量とを照合し、前記顧客が身につけている物品を識別する照合手段と、前記識別した物品に関連する関連物品の関連物品情報を、前記関連物品データベースから検索する関連物品情報検索手段と、前記関連商品検索手段で検索された関連物品情報を出力する関連物品情報出力制御手段とを有するデジタルサイネージである。【００１１】
本発明は、物品の特徴量と、前記物品に関連する関連物品に関する関連物品情報とが関連付けられて記憶された関連物品データベースを有するデジタルサイネージシステムにおける関連物品情報を提示する関連物品情報提示方法であって、顧客が写った顧客画像から特徴量を抽出し、前記抽出された特徴量と、前記関連物品データベースに記憶されている特徴量とを照合し、前記顧客が身につけている物品を識別し、前記識別した物品に関連する関連物品の関連物品情報を、前記関連物品データベースから検索し、前記検索された関連物品情報を出力する関連物品情報提示方法である。【００１２】
本発明は、物品の特徴量と、前記物品に関連する関連物品に関する関連物品情報とが関連付けられて記憶された関連物品データベースを有するシステムのコンピュータのプログラムであって、顧客が写った顧客画像から特徴量を抽出する処理と、前記抽出された特徴量と、前記関連物品データベースに記憶されている特徴量とを照合し、前記顧客が身につけている物品を識別する処理と、前記識別した物品に関連する関連物品の関連物品情報を、前記関連物品データベースから検索する処理と、前記検索された関連物品情報を出力する処理とをコンピュータに実行させるプログラムである。
【発明の効果】
【００１３】
本発明は、撮影された顧客の画像からその顧客が身につけている物品を認識することができるため、顧客の趣向に合わせた物品の情報を提示することができる。
【図面の簡単な説明】
【００１４】
【図１】図１は本発明の実施の形態におけるデジタルサイネージ１の構成図である。
【図２】図２は実施例におけるデジタルサイネージ１の外観図である。
【図３】図３は実施例のデジタルサイネージ１の構成図である。
【図４】図４は実施例の関連物品情報データベース１０の一例を示した図である。
【図５】図５は実施例の動作を説明する図である。
【図６】図６は実施例の動作を説明する図である。
【図７】図７は実施例の動作を説明する図である。
【図８】図８は実施例の動作を説明する図である。
【図９】図９は実施例の動作を説明する図である。
【図１０】図１０は他の実施例のデジタルサイネージの構成図である。
【図１１】図１１は他の実施例のデジタルサイネージの構成図である。
【発明を実施するための形態】
【００１５】
本発明の実施の形態を説明する。
【００１６】
本実施の形態は、デジタルサイネージの前に立った顧客を撮影した顧客画像から、服装や持ち物等の物品を識別し、現在に至るまでに販売又は提供した物品と照合して、顧客の物品が現在に至るまでに販売又は提供した物品であるかを識別する。そして、顧客の物品が現在に至るまでに販売又は提供した物品である場合、販売又は提供した物品に関連する関連物品の情報を、デジタルサイネージに提示するものである。
【００１７】
図１は、本実施の形態におけるデジタルサイネージシステムの構成図である。
【００１８】
図１に示す如く、本実施の形態におけるデジタルサイネージシステムは、関連物品情報データベース１０と、特徴量抽出部１１と、照合部１２と、関連物品情報検索部１３と、関連物品情報出力制御部１４とを備える。
【００１９】
関連物品情報データベース１０は、物品の特徴量と、物品に関連する関連物品に関する関連物品情報とが関連付けられて記憶されたデータベースである。ここで、物品とは、例えば、衣服やメガネ、バッグ等の身につけるものを含むが、これらに限定されない。また、関連物品情報とは、その物品に関連する関連物品の情報であり、例えば、ある物品が、顧客が身に着けている商品である場合、その商品のシリーズものや、その商品の新作商品、または、その商品に合う他の商品の情報などであるが、これに限られない。情報としては、その商品の静止画又は動画や、紹介情報、在庫、サイズなどが考えられる。
【００２０】
特徴量抽出部１１は、顧客が写った顧客画像から特徴量を抽出する。
【００２１】
照合部１２は、抽出された特徴量と、関連物品データベースに記憶されている特徴量とを照合し、顧客が身につけている物品を識別する。
【００２２】
関連物品情報検索部１３は、識別した物品に関連する関連物品の関連物品情報を、関連物品情報データベース１０から検索する。
【００２３】
関連物品情報出力制御部１４は、検索された関連物品情報、例えば、静止画や動画（例えば、特別映像等）、音楽又は音声などを、デジタルサイネージのディスプレイや、スピーカに出力する。
【００２４】
本実施の形態では、撮影された顧客の顧客画像からその顧客が身につけている物品を識別することができるため、顧客の趣向に合わせた物品を顧客に提示することができる。
【００２５】
次に、本発明の具体的な実施例を説明する。尚、以下の説明において、理解を容易にするために、物品の例として、業者が過去又は現在扱っている商品を例にして説明する。
【００２６】
図２は、本実施例におけるデジタルサイネージ１の外観図である。
【００２７】
図２に示すように、デジタルサイネージ１は、店舗等などに設置され、ディスプレイ２を用いて、通常は広告映像を表示する。また、デジタルサイネージ１には、広告映像を再生するディスプレイ２の他に、顧客の服装や持ち物を識別するための画像を撮像するカメラ３が設けられている。
【００２８】
図３はデジタルサイネージ１の構成図である。
【００２９】
図３に示す如く、デジタルサイネージ１は、ディスプレイ２と、カメラ３と、関連物品情報データベース１０と、特徴量抽出部１１と、照合部１２と、関連物品情報検索部１３と、関連物品情報出力制御部１４とを備える。
【００３０】
関連物品情報データベース１０は、デジタルサイネージ１が設置されている店舗や、チェーン店全体で扱っている商品に関する情報のデータベースである。具体的には、関連物品情報データベース１０は、商品特徴量テーブル１０１と、関連商品テーブル１０２と、商品画像テーブル１０３とを有する。
【００３１】
商品特徴量テーブル１０１は、現在までに扱った商品の識別する商品識別情報と、その商品の画像特徴量とが関連付けられて記憶されたテーブルである。
【００３２】
関連商品テーブル１０２は、現在までに扱った商品の商品識別情報と、その商品に関連する関連商品の商品識別情報とが関連付けられて記憶されたテーブルである。
【００３３】
商品画像テーブル１０３は、商品識別情報とその商品の画像データ（商品自体の画像や広告の文字を含む）とが関連付けられて記憶されたテーブルである。尚、画像データは静止画に限られず、動画でも良い。
【００３４】
尚、本実施の形態では、関連物品情報データベース１０を、商品特徴量テーブル１０１と、関連商品テーブル１０２と、商品画像テーブル１０３との３つで構成したが、これに限定されるものではない。例えば、商品特徴量と、前記商品に関連する商品と、それらの商品に関する画像データとを関連付けて、ひとつのテーブルで構成するようにしても良い。
【００３５】
図４は関連物品情報データベース１０の一例を示した図である。
【００３６】
図４に示される商品特徴量テーブル１０１では、商品識別情報とその商品の特徴量とが関連付けられて記憶されており、例えば、商品識別情報“商品Ａ（鞄）”と特徴量“特徴量Ａ”とが関連付けられている。また、関連商品テーブル１０２では、商品識別情報と、関連商品の商品識別情報とが関連付けられて記憶されており、例えば、商品識別情報“商品Ａ（鞄）”と、関連商品の商品識別情報“商品Ｄ（鞄）”とが関連付けられている。また、商品画像テーブル１０３では、商品識別情報とその商品の画像データとが関連付けられて記憶されており、例えば、商品識別情報“商品Ａ（鞄）”と画像データ“画像データＡ”とが関連付けられて記憶されている。
【００３７】
特徴量抽出部１１は、カメラ３で撮像された顧客の画像から顧客の服装や持ち物の特徴量を抽出するものである。画像からの特徴量の抽出方法を容易にするためには、画像中の物品が予め定められた位置で撮像されることが好ましいが、店舗などに設置されるデジタルサイネージでは難しい。そこで、画像内の顧客の服装や持ち物を、撮影サイズや角度の変化、オクルージョンに対して頑健に識別可能とするために、画像内の特徴的な点（特徴点）を多数検出し、各特徴点周辺の局所領域の特徴量（局所特徴量）を抽出する。その代表的な方式として、特許文献（米国特許第６７１１２９３号明細書）や、非特許文献（David G. Lowe著、「Distinctive image features from scale-invariant keypoints」、International Journal of Computer Vision、60(2)、2004年、p. 91-110）には、ＳＩＦＴ（Ｓｃａｌｅ  Ｉｎｖａｒｉａｎｔ  Ｆｅａｔｕｒｅ  Ｔｒａｎｓｆｏｒｍ）特徴量を用いる局所特徴量抽出装置が開示されている。また、特徴量のデータサイズを小さくする方法としては、画像内の特徴点を検出し、各特徴点に対する局所領域を取得し、各局所領域を複数のサブ領域に分割し、各局所領域内のサブ領域ごとに複数次元の特徴ベクトルを生成し、各局所領域内のサブ領域の位置関係に基づいて、近接するサブ領域の特徴ベクトル間の相関が低くなるようにサブ領域ごとに前記特徴ベクトルから次元を選定し、選定された次元の要素を局所領域の特徴量とすることが考えられる。
【００３８】
尚、顧客画像中に複数人の人物が写っている場合には、予め定められた規則により、認識対象となる顧客を特定する。例えば、顧客画像のなかで一番手前に写っている人物を認識対象の顧客とすることが考えられる。また、顧客の全身だけではなく、顧客の顔や手などの所定範囲のみを認識対象とすることもできる。
【００３９】
照合部１２は、特徴量抽出部１１で抽出された特徴量と、関連物品情報データベース１０の商品特徴量テーブル１０１に記憶されている商品の特徴量とを照合し、カメラ３で撮像された画像中の顧客の服装や持ち物を識別する。そして、特徴量が一致する場合にはその特徴量に対応する商品識別情報を、関連物品情報検索部１３に出力する。
【００４０】
関連物品情報検索部１３は、照合部１２から商品識別情報を受信し、その商品識別情報に対応する関連商品の商品識別情報を、関連商品テーブル１０２から検索する。そして、検索された商品識別情報に対応する画像データを、商品画像テーブル１０３から検索し、その検索した商品の画像データを、関連物品情報出力制御部１４に出力する。
【００４１】
関連物品情報出力制御部１４は、カメラ３で撮像した顧客の画像や、関連物品情報検索部１３から受信した画像データの商品をディスプレイ２に表示する制御を行う。また、通常時の広告やイベントの告知等をディスプレイ２に表示する制御を行うものである。
【００４２】
次に、上述した構成における本実施の形態の具体的な動作を説明する。尚、以下の説明において、関連物品情報データベース１０は図４に示されている内容のものとする。
【００４３】
図５に示す如く、通常時、例えば、顧客がデジタルサイネージ１に前に立っていない場合には、商品の広告や、イベントの告知などがディスプレイ２に表示される。
【００４４】
顧客がデジタルサイネージ１に前の前に立つと、顔認識等により、人であることを認識し、動作を開始する。
【００４５】
次に、カメラ３は顧客を撮影し、図６に示す如く、カメラ３で撮像された顧客の画像は、デジタルサイネージ１のディスプレイ２に表示される。そして、特徴量抽出部１１は、カメラ３で撮像された顧客の画像から顧客の服装や持ち物の特徴量を抽出する。本例では、抽出できた顧客の身につけている持ち物の特徴量が、“特徴量Ａ”と“特徴量Ｂ”とする。
【００４６】
照合部１２は、特徴量抽出部１１で抽出された“特徴量Ａ”と“特徴量Ｂ”に対応する商品識別情報を、商品特徴量テーブル１０１から検索する。本例では、図４の商品特徴量テーブル１０１から、特徴量“特徴量Ａ”に対応する商品識別情報が“商品Ａ（鞄）”であり、特徴量“特徴量Ｂ”に対応する商品識別情報が“商品Ｂ（メガネ）”である。
【００４７】
続いて、関連物品情報検索部１３は、照合部１２から商品識別情報を受信し、その商品識別情報に対応する関連商品の商品識別情報を、関連商品テーブル１０２から検索する。本例では、照合部１２からの商品識別情報は“商品Ａ（鞄）”と“商品Ｂ（メガネ）”であるので、“商品Ａ（鞄）”に関連する商品識別情報として“商品Ｄ（鞄）”を検索する。また、“商品Ｂ”に関連する商品識別情報として“商品Ｙ（メガネ）”を検索する。そして、関連物品情報検索部１３は、検索した商品識別情報に対応する商品の画像データを、商品画像テーブル１０３から検索し、その検索した商品の画像データを、関連物品情報出力制御部１４に出力する。本例では、商品画像テーブル１０３から、“商品Ｄ（鞄）”に対応する“画像データＤ”を検索し、関連物品情報出力制御部１４に出力する。また、商品画像テーブル１０３から、“商品Ｙ（メガネ）”に対応する“画像データＹ”を検索し、関連物品情報出力制御部１４に出力する。
【００４８】
関連物品情報出力制御部１４は、関連物品情報検索部１３から受信した“画像データＤ”及び“画像データＹ”に基づいて、図７に示すように、顧客の映像に重ならないように、“商品Ｄ（鞄）”及び“商品Ｙ（メガネ）”の画像を表示する。
【００４９】
以上の如く、本実施の形態のデジタルサイネージ１は、撮影された顧客の画像からその顧客が身につけている特定の商品、例えば、過去にその店舗で購入した実績のある商品を認識することができるため、顧客の趣向に合わせた商品広告を提示することができる。
【００５０】
尚、上述した実施の形態では、図７に示すように、顧客の映像に重ならないように、“商品Ｄ（鞄）”及び“商品Ｙ（メガネ）”の画像を表示する例を説明したが、図８に示すように、関連商品に対応する顧客の服装や持ち物に重畳するように、その関連する商品を表示するようにしても良い。
【００５１】
また、関連物品情報データベース１０に、関連商品として同一種類の商品のみならず、関連する商品を記憶させておけば、幅広い商品の提示を行うことができる。例えば、“商品Ｄ（鞄）”に関連して商品Ｄ（鞄）に合うネックレス”を記憶させておき、図９に示す如く、“商品Ｄ（鞄）”に関連する商品としてそのネックレスの画像を、ネックレスが対応する顧客の位置に表示するようにしても良い。
【００５２】
また、本実施の形態では、デジタルサイネージ１のディスプレイ２に顧客の姿全体が表示される構成を取ったが、これに限られず、撮影した顧客の姿は表示せずに、関連商品のみをディスプレイ２に表示するようにしても良い。
【００５３】
更に、上記実施例は一例であって、本発明を逸脱しない範囲で変更することができる。例えば、上述した実施例では、関連物品情報データベース１０と、特徴量抽出部１１と、照合部１２と、関連物品情報検索部１３とを、デジタルサイネージ１の内部にある構成としたが、それらの一部又は全部を外部のサーバ等に配置しても良い。図１０にその一例を示す。
【００５４】
図１０の例では、特徴量の抽出、照合及び関連商品の検索処理を行う照合サーバ２０を有し、照合サーバ２０は関連物品情報データベース１０と、特徴量抽出部１１と、照合部１２と、関連物品情報検索部１３と、通信部２２とを備えている。そして、デジタルサイネージ１はネットワーク２３を介して照合サーバ２０と接続されており、デジタルサイネージ１には、カメラ３と、関連物品情報出力制御部１４と、通信部２１とを備えている。
【００５５】
デジタルサイネージ１では、カメラ３で撮影した画像を通信部２１により、照合サーバ２０に送信し、照合サーバ２０は受信した画像から特徴量を抽出して照合、関連商品検索処理を行い、その結果を通信部２２によりデジタルサイネージ１に送信する。そして、デジタルサイネージ１は、その結果に基づき、関連商品をディスプレイ２に表示する。
【００５６】
上記の構成の利点は、特徴量の抽出や照合、関連商品検索処理といった負荷のかかる処理をサーバに行わせることにより、デジタルサイネージ１の処理の負荷の軽減を図れることにある。また、多数のデジタルサイネージ１を、ネットワーク２３を介して照合サーバ２０と接続することにより、照合サーバ２０により、多数のデジタルサイネージ１の処理や運用を管理することができる。
【００５７】
次に、上述した実施例の変形例を説明する。
【００５８】
図１１は実施例の変形例の構成を示す図である。
【００５９】
本実施例が上述した実施例と異なる所は、照合サーバ２０の代わりに、特徴量抽出部１１をデジタルサイネージ１が有している点である。そして、デジタルサイネージ１が顧客画像から特徴量の抽出を行い、抽出した特徴量を照合サーバ２０に送信する。照合サーバ２０では、受信した特徴量を用いて、照合、関連商品検索処理を行う。
【００６０】
本実施例の利点は、デジタルサイネージ１から送信するものが顧客の画像データではなく、特徴量なので、送信するデータ量が少なく、また、顧客が直接写っている画像ではないので、顧客の個人情報を保護する観点からも好ましい。
【００６１】
以上で本発明の実施の形態及び実施例の説明を終わるが、上述した説明からも明らかなように、各部をハードウェアで構成してもよいし、コンピュータプログラムにより実現してもよい。この場合、プログラムメモリに格納されているプログラムで動作するプロセッサによって、上述した各実施の形態及び実施例と同様の機能、動作を実現させる。また、上述した実施の形態の一部の機能のみをコンピュータプログラムにより実現してもよい。
【００６２】
また、上記の実施形態の一部又は全部は、以下の付記のようにも記載されうるが、以下には限られない。
【００６３】
（付記１）  物品の特徴量と、前記物品に関連する関連物品に関する関連物品情報とが関連付けられて記憶された関連物品データベースと、
顧客が写った顧客画像から特徴量を抽出する特徴量抽出手段と、
前記抽出された特徴量と、前記関連物品データベースに記憶されている特徴量とを照合し、前記顧客が身につけている物品を識別する照合手段と、
前記識別した物品に関連する関連物品の関連物品情報を、前記関連物品データベースから検索する関連物品情報検索手段と、
前記検索された関連物品情報を出力する関連物品情報出力制御手段と
を有するデジタルサイネージシステム。
【００６４】
（付記２）  前記関連物品情報が、物品の静止画、動画を含む関連物品画像と、前記物品の紹介情報とのいずれかを少なくとも含む
付記１に記載のデジタルサイネージシステム。
【００６５】
（付記３）  前記関連物品情報出力制御手段は、前記関連物品画像を、その関連物品を顧客が身につける位置に、前記顧客画像に重畳して表示する
付記２に記載のデジタルサイネージシステム。
【００６６】
（付記４）  前記関連物品情報出力制御手段は、前記顧客画像のうち前記顧客が身につけている物品の画像に、前記関連物品画像を重畳して表示する
付記３に記載のデジタルサイネージシステム。
【００６７】
（付記５）  前記関連物品情報出力制御手段は、前記関連物品画像を、前記顧客画像の顧客に重畳しないように、少なくとも一以上の前記関連物品画像を表示する
付記２に記載のデジタルサイネージシステム。
【００６８】
（付記６）  前記顧客画像に複数の人物が写っている場合、所定の優先度に従って顧客を特定する顧客特定手段を有する
付記１から付記５のいずれかに記載のデジタルサイネージシステム。
【００６９】
（付記７）  前記物品を所持又は配置する人物がデジタルサイネージを視認可能な領域を撮像することができる位置に配置され、前記物品を撮像する撮像手段を有する
付記１から付記６に記載のデジタルサイネージシステム。
【００７０】
（付記８）  照合サーバが、前記関連物品データベースと、前記照合手段と、前記関連物品情報検索手段とを少なくとも有し、
デジタルサイネージが、前記特徴量抽出手段と、前記関連物品情報出力制御手段とを少なくとも有し、
前記デジタルサイネージが、前記抽出した物品の特徴量を、前記照合サーバに送信し、
前記照合サーバが、前記物品の特徴量に基づいて、前記関連物品情報を前記デジタルサイネージに送信する
付記１から付記７のいずれかに記載のデジタルサイネージシステム。
【００７１】
（付記９）  物品の特徴量と、前記物品に関連する関連物品に関する関連物品情報とが関連付けられて記憶された関連物品データベースと、
顧客が写った顧客画像から特徴量を抽出する特徴量抽出手段と、
前記抽出された特徴量と、前記物品データベースに記憶されている特徴量とを照合し、前記顧客が身につけている物品を識別する照合手段と、
前記識別した物品に関連する関連物品の関連物品情報を、前記関連物品データベースから検索する関連物品情報検索手段と、
前記関連商品検索手段で検索された関連物品情報を出力する関連物品情報出力制御手段と
を有するデジタルサイネージ。
【００７２】
（付記１０）  物品の特徴量と、前記物品に関連する関連物品に関する関連物品情報とが関連付けられて記憶された関連物品データベースを有するデジタルサイネージシステムにおける関連物品情報を提示する関連物品情報提示方法であって、
顧客が写った顧客画像から特徴量を抽出し、
前記抽出された特徴量と、前記関連物品データベースに記憶されている特徴量とを照合し、前記顧客が身につけている物品を識別し、
前記識別した物品に関連する関連物品の関連物品情報を、前記関連物品データベースから検索し、
前記検索された関連物品情報を出力する
関連物品情報提示方法。
【００７３】
（付記１１）  前記関連物品情報が、物品の静止画、動画を含む関連物品画像と、前記物品の紹介情報とのいずれかを少なくとも含む
付記１０に記載の関連物品情報提示方法。
【００７４】
（付記１２）  前記関連物品画像を、その関連物品を顧客が身につける位置に、前記顧客画像に重畳して表示する
付記１１に記載の関連物品情報提示方法。
【００７５】
（付記１３）  前記顧客画像のうち前記顧客が身につけている物品の画像に、前記関連物品画像を重畳して表示する
付記１２に記載の関連物品情報提示方法。
【００７６】
（付記１４）  前記関連物品画像を、前記顧客画像の顧客に重畳しないように、少なくとも一以上の前記関連物品画像を表示する
付記１１に記載の関連物品情報提示方法。
【００７７】
（付記１５）  前記顧客画像に複数の人物が写っている場合、所定の優先度に従って顧客を特定する
付記１０から付記１４のいずれかに記載の関連物品情報提示方法。
【００７８】
（付記１６）  物品の特徴量と、前記物品に関連する関連物品に関する関連物品情報とが関連付けられて記憶された関連物品データベースを有するシステムのコンピュータのプログラムであって、
顧客が写った顧客画像から特徴量を抽出する処理と、
前記抽出された特徴量と、前記関連物品データベースに記憶されている特徴量とを照合し、前記顧客が身につけている物品を識別する処理と、
前記識別した物品に関連する関連物品の関連物品情報を、前記関連物品データベースから検索する処理と、
前記検索された関連物品情報を出力する処理と
をコンピュータに実行させるプログラム。
【００７９】
（付記１７）  前記関連物品情報が、物品の静止画、動画を含む関連物品画像と、前記物品の紹介情報とのいずれかを少なくとも含む
付記１６に記載のプログラム。
【００８０】
（付記１８）  前記関連物品画像を、その関連物品を顧客が身につける位置に、前記顧客画像に重畳して表示する処理をコンピュータに実行させる
付記１７に記載のプログラム。
【００８１】
（付記１９）  前記顧客画像のうち前記顧客が身につけている物品の画像に、前記関連物品画像を重畳して表示する処理をコンピュータに実行させる
付記１８に記載のプログラム。
【００８２】
（付記２０）  前記関連物品画像を、前記顧客画像の顧客に重畳しないように、少なくとも一以上の前記関連物品画像を表示する処理をコンピュータに実行させる
付記１７に記載のプログラム。
【００８３】
（付記２１）  前記顧客画像に複数の人物が写っている場合、所定の優先度に従って顧客を特定する処理をコンピュータに実行させる
付記１６から付記２０のいずれかに記載のプログラム。
【００８４】
以上、実施の形態及び実施例をあげて本発明を説明したが、本発明は必ずしも上記実施の形態及び実施例に限定されるものではなく、その技術的思想の範囲内において様々に変形し実施してもよい。また、各実施の形態を適宜組み合わせて実施してもよい。
【００８５】
本出願は、２０１２年３月３０日に出願された日本出願特願２０１２−０７９０８１号を基礎とする優先権を主張し、その開示の全てをここに取り込む。
【符号の説明】
【００８６】
１      デジタルサイネージ
２      ディスプレイ
３      カメラ
１０    関連物品情報データベース
１１    特徴量抽出部
１２    照合部
１３    関連商品情報検索部
１４    関連商品情報出力制御部
２０    照合サーバ
２１    通信部
２２    通信部
２３    ネットワーク
【図１】
2013147003.tif 000003
【図２】
2013147003.tif 000004
【図３】
2013147003.tif 000005
【図４】
2013147003.tif 000006
【図５】
2013147003.tif 000007
【図６】
2013147003.tif 000008
【図７】
2013147003.tif 000009
【図８】
2013147003.tif 000010
【図９】
2013147003.tif 000011
【図１０】
2013147003.tif 000012
【図１１】
2013147003.tif 000013
【国際調査報告】
2013147003.tif 000014
2013147003.tif 000015
2013147003.tif 000016
2013147003.tif 000017